(57)【要約】【課題】キャップ本体の注出口からは出なくなるまでスクイズしても肩部から胴部上端部の内壁面に残存する内容物をなぞり取ることを実現する。【解決手段】注出ノズル（３３）を有するキャップ本体（３）が挿着され、指（５）が挿入可能な口筒部（４２）を有し、肩部（４３）から胴部（４１）上端部へかけての内壁面（４４）は、前記口筒部（４２）から指（５）を挿入して該指の先端部（５２）を内側に折り曲げた時、指先の腹（５１）に当接してなぞることが可能な曲面に形成した。【選択図】      図４
2004210316.tif 000002
【特許請求の範囲】
【請求項１】
注出ノズル（３３）を有するキャップ本体（３）が挿着され、指（５）が挿入可能な口筒部（４２）を有し、肩部（４３）から胴部（４１）上端部へかけての内壁面（４４）は、前記口筒部（４２）から指（５）を挿入して該指の先端部（５２）を内側に折り曲げた時、指先の腹（５１）に当接してなぞることが可能な曲面に形成してなる合成樹脂製容器。
【請求項２】
口筒部（４２）の内径は２３ｍｍよりも小さく、容器本体の胴部(４１)の外径を６０ｍｍ以下に形成した請求項１に記載の合成樹脂製容器。
【請求項３】
肩部（４３）内壁面(４４)の傾斜角度を５〜７０度に形成し、指先の腹（５１）でなぞり易く構成した請求項第１項に記載の合成樹脂製容器。
【請求項４】
肩部（４３）から胴部（４１）上端部へかけての内壁面（４４）の曲面は、半径０．３ｍｍ以上の曲率に形成してなる請求項第１項に記載の合成樹脂製容器。
【発明の詳細な説明】
【０００１】
【発明の属する技術分野】
本発明は、クリーム状等の内容物を注出可能な、例えばチューブ容器等のスクイズ性を有する合成樹脂製容器に関するものである。
【０００２】
【従来の技術】
従来の技術としては、閉栓可能なノズルを有するキャップ本体を口頸部へ螺合させることにより、キャップ本体をチューブ容器本体から螺脱自在にして内容物の使い切りを可能にしようとするもので、内容物が残り少なくなって、胴部をスクイズしても注出されなくなった場合にはキャップ本体をチューブ容器本体から螺脱させて内容物の使い切りをするものがある（特許文献１参照）。
【０００３】
【特許文献１】
特開２００１−９７４１０号公報
【０００４】
【発明が解決しようとする課題】
上記従来技術のチューブ容器では、キャップ本体の注出ノズルから出なくなるまで減った段階で、内容物が残りわずかとなった状態では肩部及び胴部上端部の形状によっては肩部から胴部上端部の内壁面に内容物が残存しやすくなり、チューブ容器のキャップ本体を取外してもこの内容物を除去し回収することが困難となることがあった。
特に、高額な化粧品の場合は、内容物を容器内から少しも残さずに除去して使用できるようにすることが要請される。また、容器をリサイクルする場合にも、内容物を容器内に全く残さずに除去することが要請される。
本発明は、上述した問題点に鑑みて創案されたもので、キャップ本体の注出口から内容物が出なくなるまでスクイズしても肩部から胴部上端部の内壁面に残存する内容物をなぞり取ることが可能な合成樹脂製容器の提供を目的とする。
【０００５】
【課題を解決するための手段】
上記従来技術の課題を解決するための手投として、請求項1の発明に係る表示具は、注出ノズルを有するキャップ本体が挿着され、指が挿入可能な口筒部を有し、肩部から胴部上端部へかけての内壁面は、前記口筒部から指を挿入して該指の先端部を内側に折り曲げた時、指先の腹に当接してなぞることが可能な曲面に形成してなる。
容器本体の胴部をスクイズしてもキャップ本体の注出ノズルから取り出すことが困難な箇所である、肩部から胴部上端部へかけての内壁面付近に残存したクリーム状等の内容物は、キャップを取外し、口筒部から指を挿入した後、該指を内側に曲げて該内壁面をなぞる又はしごき取ることにより該内容物を指で取り去り、回収できる。
【０００６】
請求項２に係る発明は、請求項第１項に記載の口筒部の内径は２３ｍｍよりも小さく、容器本体の胴部の外径を６０ｍｍ以下に形成している。
容器本体がスクイズ性容器で、口筒部の内径を２３ｍｍ以上とした場合は、口筒部の高さにもよるが容器をスクイズした時に口筒部が楕円形に変形しやすくなり、口筒部とキャップ本体とのシール性が劣ってきて液漏れが発生するおそれが出てくるので、口筒部の変形が余り生じない２３ｍｍより小さい内径に形成し、口筒部の変形を考慮する必要がないようにしている。
【０００７】
請求項３に係る発明は、請求項第１項に記載の肩部内壁面の傾斜角度は５〜７０度に形成し、指先の腹でなぞり易く構成している。肩部内壁面の傾斜角度は、好ましくは１５〜３０度に形成するのがよい。
【０００８】
請求項４に係る発明は、請求項第１項に記載の肩部から胴部上端部へかけての内壁面の曲面は、半径０．３ｍｍ以上の曲率に形成し、指先の腹でなぞり易く構成している。この曲面は、好ましくは半径３ｍｍ以上の曲率に形成するのがよい。肩部から胴部上端部へかけての内壁面の曲面を、半径０．３ｍｍより小さくした場合は、角が尖りその部分に指が入らなくなり、指でなぞり難くなるため内容物が残存することになる。
【０００９】
【発明の実施の形態】
本発明の実施例は図面を参照して説明する。本発明の合成樹脂製容器１は、容器本体４にキャップ本体３を挿着したものである。
前記容器本体４は、胴部４１の上端部には連続して肩部４３が一体に設けられ、該肩部４３上端縁には外周に螺子４２ａを形成し、指５が一定の余裕を持って挿入可能な内径の口筒部４２が一体に設けられている。
また、前記容器本体４の肩部４３から胴部４１上端部へかけての内壁面４４は、前記口筒部４２から指５を挿入して該指の先端部５２を内側に折り曲げた時、指先の腹５１に当接してなぞることが可能な曲面に形成されている（図４参照）。
また、キャップ本体３の頂壁３４の外側端部には下端を肩部４３に当接可能に形成した外筒３１を垂下設し、その内側には内周面に螺子３２ａを形成し、下端を肩部４３に当接可能に形成した内筒３２が垂下設されている。他方、該頂壁３４の上部には口筒部４２から内容物が注出容易な位置に注出ノズル３３が設けられている。
このキャップ本体３には、該キャップ本体３とほぼ同径の周壁２４を有し、頂壁２２には注出ノズル３３に挿着可能な垂下筒２３を設けた補助キャップ２が開閉自在に薄肉ヒンジ２１により連結されている。
口筒部４２の内径、肩部４３から胴部上端部の内壁面４４は、具体的には図５のように、例えば、成人の場合、人差し指の第１関節、第２関節をそれぞれ約３０度内側に曲げた時は、指の先端から第１関節までの長さＬ１は約２４〜３０ｍｍ、第１関節から第２関節までの長さＬ２は約１０〜２２ｍｍ、指の太さＬ３は約１０〜２１ｍｍ程度である。そこで、口筒部４２の内径は２３ｍｍより小さく形成し、容器本体の胴部４１の外径を６０ｍｍ以下に形成し、指が余裕を持って口筒部４２に挿入可能な内径とするのが好ましい。
また、肩部４３から胴部上端部の内壁面４４は、図４のように指５の先端部を内側に曲げた時指先端部５２における指先の腹５１が当接してなぞることが可能な曲面に形成されている。なお、指は人差し指を使用してなぞるのが効率がよい。肩部４３内壁面４４の傾斜角度θは、指先の腹５１でなぞり易くするため、５~７０度に形成しているが、１５〜３０度に形成するのが好ましい（図４参照）。
さらに、肩部４３から胴部４１上端部へかけての内壁面４４の曲面は、指先の腹５１でなぞり易くするため、半径０．３ｍｍ以上の曲率に形成しているが、半径３ｍｍ以上の曲率に形成するのが好ましい。前記曲面を、半径０．３ｍｍより小さくした場合は、角が尖りその部分に指５が入らなくなり、指５でなぞり難くなるため内容物が残存することになる。
【００１０】
【発明の効果】
上記構成の本発明によれば、以下の効果を奏するものである。
請求項１の発明によれば、クリーム状化粧品等の内容物を収容した合成樹脂製容器を、キャップ本体の注出ノズルから出なくなるまでスクイズしても内容物は肩部から胴部上端部にかけての内壁面にわずかに残存するが、キャップ本体を取外した後、指を口筒部から挿入して肩部から胴部上端部の内壁面をなぞることにより、該内壁面に残存した内容物を手の指で簡単に、かつ容易になぞって又はしごき取って取り出し回収することができる。
また、高価な内容物が収容された合成樹脂製容器の場合は、高価な内容物を最後まで残すことなく取り去って回収でき、高価な内容物の残存が防止できる。また、このようにして回収した内容物は普通に使用できる。
請求項２の発明によれば、口筒部の変形を防止でき、指が口筒部に容易に挿入可能にできる。
請求項３、４の発明によれば、肩部から胴部上端部へかけての内壁面は、指先の腹でなぞり易くできる曲面に形成できる。
【図面の簡単な説明】
【図１】本発明の実施例の、合成樹脂製容器の中央縦断面図。
【図２】本発明の実施例の、合成樹脂製容器の分解斜視図。
【図３】本発明の実施例の、容器本体の平面図。
【図４】本発明の実施例の内容物をなぞって取る時の断面図。
【図５】指の説明図。
【符号の説明】
１    合成樹脂製容器
２    補助キャップ
２１  薄肉ヒンジ
２２  頂璧
２３  垂下筒
３    キャップ本体
３１  外筒
３２  内筒
３３  注出ノズル
３４  頂璧
４    容器本体
４１  胴部
４２  口筒部
４３  肩部
４４  内壁面
５    指
５１  指先の腹
５２  指先端部
５３  第１関節
５４  第２関節
【図１】
2004210316.tif 000003
【図２】
2004210316.tif 000004
【図３】
2004210316.tif 000005
【図４】
2004210316.tif 000006
【図５】
2004210316.tif 000007